(57)【特許請求の範囲】
【請求項１】
地中に埋設された共同溝ボックスに通信ケーブルを接続または分岐するクロージャを取付けるためのクロージャ取付け装置であって、
前記共同溝ボックスの内壁に固定され、ほぼ水平方向に複数の取付け孔が所定間隔で設けられた取付け部材と、
前記取付け部材の複数の取付け孔の内のいずれかの取付け孔に取付け可能な位置決め部材と、
前記クロージャが固定されると共に、上部と下部にそれぞれ前記位置決め部材に掛止可能な上部被掛止部と下部被掛止部とを有するクロージャ支持部材とを備え、
前記取付け部材の複数の取付け孔の内のいずれかの取付け孔に取付けた前記位置決め部材に前記クロージャ支持部材の上部被掛止部を掛止した場合には、当該クロージャ支持部材に支持されたクロージャは地中に埋設された前記共同溝ボックス内に収容される一方、
前記取付け部材の複数の取付け孔の内のいずれかの取付け孔に取付けた前記位置決め部材に前記クロージャ支持部材の下部被掛止部を掛止した場合には、当該クロージャ支持部材に支持されたクロージャは地中に埋設された前記共同溝ボックスの上方の地上に突出することを特徴とするクロージャ取付け装置。
【請求項２】
請求項１に記載のクロージャ取付け装置において、
前記クロージャ支持部材の上部には、
当該クロージャ支持部材に固定される前記クロージャ側に突出するハンドル部を設け、当該クロージャ支持部材を昇降させて前記上部被掛止部または前記下部被掛止部を前記取付け部材の一のボルト孔に取付けた前記位置決め部材に掛止する際、作業者が前記ハンドル部を把持可能に構成したことを特徴とするクロージャ取付け装置。
【請求項３】
請求項１または請求項２に記載のクロージャ取付け装置において、
前記クロージャ支持部材の下端部の左右両側に、
前記共同溝ボックスの内壁に固定された前記取付け部材の下方へ突出する突起部が形成されていることを特徴とするクロージャ取付け装置。
【請求項４】
地中に埋設された共同溝ボックスの内壁に固定された取付け部材にほぼ水平方向に設けられた複数の取付け孔の内のいずれかの取付け孔に、請求項１〜請求項３のいずれか一の請求項に記載のクロージャ取付け装置を構成する前記位置決め部材を取付け、
その後、前記位置決め部材に前記クロージャ支持部材の上部被掛止部または下部被掛止部を掛止することを特徴とする共同溝ボックスへのクロージャ支持部材取付け方法。
【発明の詳細な説明】
【技術分野】
【０００１】
本発明は、共同溝ボックス（CCBOX）内に通信用の光ファイバケーブルやメタルケーブルを結線するクロージャを設置するためのクロージャ取付け装置、および共同溝ボックスへのクロージャ支持部材取付け方法に関する。
【背景技術】
【０００２】
近年、都市部においては、景観の点や地震や台風といった災害に強い等の観点から、電柱を使って加入者宅まで通信ケーブルや電線を配線する架空線方式に代わり、地中に埋設した構造物の中に通信ケーブルや電線を通して、加入者宅まで配線する地中化方式が主流になりつつある。
【０００３】
かかる地中化方式において、従来は、クロージャの接続・分岐作業を作業員が共同溝ボックス内に入って行っていたが、共同溝ボックスがその分だけ大型化するため、幅員が狭い道路や歩道のない道路に収容スペースを確保するのが困難であった。特に地中化工事に既存埋設物の支障移設を伴う場合は、工期の長期化や共同溝ボックスの施工コストに大きな影響を与えるという問題があった。
【０００４】
そこで、共同溝ボックス内でのクロージャの接続・分岐作業に代えて、作業員が地上側にいて作業ができるようにすれば、共同溝ボックスは作業員が入って作業を行なうために必要なスペース分だけ小さくすることが可能になるという知見に基づいて、クロージャを共同溝ボックス内の設置個所から上方へ引き上げ、その地上の引き上げ位置にクロージャを支持して、作業員は地上側にいてクロージャの接続・分岐作業ができるようにするためのクロージャ取付け装置が提案されている（例えば、特許文献１参照。）
【０００５】
この特許文献１に記載のクロージャ取付け装置では、地中に埋設された共同溝ボックスと、共同溝ボックスの内壁に地上方向とほぼ垂直な方向で設けられた取付け部材と、通信ケーブルを接続し、あるいは、分岐するクロージャが固定されるとともに、本体部の上端部および下端部に設けられた懸吊部を介して取付け部材に選択的に懸吊可能なクロージャ支持部材とからなり、上端部の懸吊部を取付け部材に差し込んで懸吊させた際、クロージャ支持部材に支持されたクロージャが共同溝ボックス内に収容される一方、クロージャ支持部材を上方に立ち上げ、下端部の懸吊部を取付け部材に差し込んで懸吊させた際、クロージャ支持部材に支持されたクロージャが地上に突出するよう構成している。
【先行技術文献】
【特許文献】
【０００６】
【特許文献１】特許第３８６８８６２号公報
【発明の概要】
【発明が解決しようとする課題】
【０００７】
ところで、共同溝ボックス内には、通常、複数のクロージャを設けており、共同溝ボックス内における各クロージャの取付け位置は、共同溝ボックスの内壁に固定した取付け部材の長手方向に所定間隔で予め設けておいた複数のナットの内から指定または決められた位置の取付け孔を特定し、クロージャを取付けたクロージャ支持部材をその特定した一のナットに対しボルトで固定して取付けるようにしていた。
【０００８】
そのため、クロージャを取付けたクロージャ支持部材をその特定した一のナットに対しボルトで固定する際、ナットのネジ孔とクロージャ支持部材のネジ孔とを合せ、その後、ボルトを通すため、取付け作業に手間がかかり、煩わしいという問題があった。
【０００９】
特に、地上から地中に埋設した共同溝ボックスの内壁に固定した取付け部材のナットのネジ孔とクロージャ支持部材のネジ孔とを合せる作業は、腰を曲げた足元での作業となり、その作業に手間がかかり、煩わしかった。
【００１０】
そこで、本発明はこのような問題に着目してなされたもので、共同溝ボックスの内壁に固定した取付け部材の複数の取付け孔の内、決められた取付け孔の取付け孔に対し、クロージャ支持部材を簡単に取付けることができ、作業性を向上させることができるクロージャ取付け装置、および共同溝ボックスへのクロージャ支持部材取付け方法を提供することを目的とする。
【課題を解決するための手段】
【００１１】
前記課題を解決するため、本発明に係るクロージャ取付け装置では、地中に埋設された共同溝ボックスと、前記共同溝ボックスの内壁にほぼ水平方向に所定間隔で複数の取付け孔が設けられた取付け部材と、前記取付け部材の複数の取付け孔の内のいずれかの取付け孔に取付け可能な位置決め部材と、通信ケーブルを接続または分岐するクロージャが固定されると共に、上部と下部にそれぞれ前記位置決め部材に掛止可能な上部被掛止部と下部被掛止部とを有するクロージャ支持部材とを備え、前記取付け部材の複数の取付け孔の内のいずれかの取付け孔に取付けた前記位置決め部材に前記クロージャ支持部材の上部被掛止部を掛止した場合には、当該クロージャ支持部材に支持されたクロージャは地中に埋設された前記共同溝ボックス内に収容される一方、前記取付け部材の複数の取付け孔の内のいずれかの取付け孔に取付けた前記位置決め部材に前記クロージャ支持部材の下部被掛止部を掛止した場合には、当該クロージャ支持部材に支持されたクロージャは地中に埋設された前記共同溝ボックスの上方の地上に突出することを第１の特徴とする。
また、本発明に係るクロージャ取付け装置では、前記クロージャ支持部材の上部には、当該クロージャ支持部材に固定される前記クロージャ側に突出するハンドル部を設け、当該クロージャ支持部材を昇降させて前記上部被掛止部または前記下部被掛止部を前記取付け部材の一のボルト孔に取付けた前記位置決め部材に掛止する際、作業者が前記ハンドル部を把持可能に構成したことを第２の特徴とする。
また、本発明に係るクロージャ取付け装置では、前記クロージャ支持部材の下端部の左右両側に、前記共同溝ボックスの内壁に固定された前記取付け部材の下方へ突出する突起部が形成されていることを第３の特徴とする。
また、本発明に係る共同溝ボックスへのクロージャ支持部材取付け方法は、地中に埋設された共同溝ボックスの内壁に固定された取付け部材にほぼ水平方向に設けられた複数の取付け孔の内のいずれかの取付け孔に、上述のクロージャ取付け装置を構成する前記位置決め部材を取付け、その後、前記位置決め部材に前記クロージャ支持部材の上部被掛止部または下部被掛止部を掛止することを特徴とする。
【発明の効果】
【００１２】
本発明に係るクロージャ取付け装置は、共同溝ボックスと、共同溝ボックスの内壁にほぼ水平方向に所定間隔で複数の取付け孔が設けられた取付け部材と、その複数の取付け孔のいずれかに取付け可能な位置決め部材と、位置決め部材に掛止可能な上部被掛止部および下部被掛止部を有するクロージャ支持部材とを備えたため、取付け部材の複数の取付け孔の内のいずれかの取付け孔に取付けた位置決め部材にクロージャ支持部材の上部被掛止部を掛止した場合には、当該クロージャ支持部材に支持されたクロージャは地中に埋設された共同溝ボックス内に収容される一方、取付け部材の複数の取付け孔の内のいずれかの取付け孔に取付けた位置決め部材にクロージャ支持部材の下部被掛止部を掛止した場合には、当該クロージャ支持部材に支持されたクロージャは地中に埋設された共同溝ボックスの上方の地上に突出する。
その結果、クロージャ支持部材は、共同溝ボックスの内壁に固定した取付け部材の複数の取付け孔の内、決められた取付け孔に対し直接ボルトで固定するのではなく、決められた取付け孔にボルトで固定した位置決め部材に掛止することになるので、クロージャ支持部材を簡単に取付けることができ、作業性を向上させることができる。
また、本発明に係る共同溝ボックスへのクロージャ支持部材取付け方法によれば、地中に埋設された共同溝ボックスの内壁に固定された取付け部材にほぼ水平方向に設けられた複数の取付け孔の内のいずれかの取付け孔に、上述のクロージャ取付け装置を構成する位置決め部材を取付け、その後、その位置決め部材にクロージャ支持部材の上部被掛止部または下部被掛止部を掛止する。
そのため、共同溝ボックスの内壁に固定された取付け部材に直接クロージャ支持部材を取り付ける必要がなくなり、取付け部材に先に位置決め部材を取付け、位置決め部材を目印としてクロージャ支持部材の上部被掛止部または下部被掛止部を掛止することになるので、クロージャ支持部材を簡単に取付けることが可能となり、作業性を向上させることができる。
また、クロージャ支持部材の上部には、クロージャ支持部材に固定されるクロージャ側に突出するハンドル部を設けたため、重量のあるクロージャの上方に作業者が把持するハンドル部が位置することになり、クロージャを支持したクロージャ支持部材全体の重量バランスが向上する。
そのため、クロージャ支持部材を昇降させて上部被掛止部または下部被掛止部を取付け部材の一のボルト孔に取付けた位置決め部材に掛止する作業が楽になり、この点でも作業効率が向上する。
【図面の簡単な説明】
【００１３】
【図１】本発明に係る実施形態１のクロージャ取付け装置を使用して共同溝ボックスに各種クロージャを収容した状態を示す地中の断面側面図である。
【図２】（ａ）〜（ｃ）それぞれ実施形態１のクロージャ取付け装置を構成する位置決め部材の正面図、右側面図である。
【図３】実施形態１のクロージャ取付け装置を構成するクロージャ支持部材の正面図である。
【図４】実施形態１のクロージャ取付け装置を構成するクロージャ支持部材の右側面図である。
【図５】実施形態１のクロージャ取付け装置を構成するクロージャ支持部材の背面図である。
【図６】実施形態１のクロージャ取付け装置を構成するクロージャ支持部材の平面図である。
【図７】（ａ），（ｂ）それぞれ実施形態１のクロージャ支持部材に多条分岐クロージャを取付けた状態を示す正面図、右側面図である。
【図８】（ａ），（ｂ）それぞれ実施形態１のクロージャ支持部材にメタルクロージャを取付けた状態を示す正面図、右側面図である。
【図９】（ａ），（ｂ）それぞれ実施形態１のクロージャ支持部材に光クロージャを取付けた状態を示す正面図、右側面図である。
【図１０】共同溝ボックスの内壁に固定された取付け部材の複数の取付け孔の決められた取付け孔に位置決め部材を取付ける状態を示す図である。
【図１１】（ａ），（ｂ）それぞれ共同溝ボックスの内壁に固定された取付け部材の複数の取付け孔の決められた取付け孔に位置決め部材を取付けた状態を示す部分拡大正面図、部分拡大平面図である。
【図１２】実施形態１のクロージャ取付け装置を構成するクロージャ支持部材の下部被掛止部を、位置決め部材を介して共同溝ボックスの取付け部材に掛止した状態を示す部分断面拡大側面図である。
【図１３】実施形態１のクロージャ取付け装置を構成するクロージャ支持部材の下部被掛止部を、位置決め部材を介して共同溝ボックスの取付け部材に掛止した状態を示す部分断面拡大斜視図である。
【図１４】実施形態１のクロージャ取付け装置を構成するクロージャ支持部材の上被掛止部を、位置決め部材を介して共同溝ボックスの取付け部材に掛止した状態を示す部分断面拡大側面図である。
【図１５】実施形態１のクロージャ取付け装置を構成するクロージャ支持部材の上部被掛止部を、位置決め部材を介して共同溝ボックスの取付け部材に掛止した状態を示す部分断面拡大斜視図である。
【図１６】本発明に係る実施形態２のクロージャ取付け装置の特徴部分であるアングル材下端部の一部切欠拡大側面図である。
【図１７】実施形態２のクロージャ取付け装置を取付け部材に掛止する際の側面図である。
【図１８】実施形態２のクロージャ取付け装置を取付け部材に掛止した際の側面図である。
【発明を実施するための形態】
【００１４】
以下、本発明に係るクロージャ取付け装置、および共同溝ボックスへのクロージャ支持部材取付け方法の実施形態１．２について、図面を参照して説明する。尚、以下に説明する実施形態１，２はあくまで本発明の一具体例であり、本発明が下記に説明する実施形態に限定されるものはなく、本発明の技術的思想の範囲内で適宜変更可能である。
【００１５】
（実施形態１）
＜実施形態１のクロージャ取付け装置１の構成＞
実施形態１のクロージャ取付け装置１は、図１に示すように、地盤（地中）５に敷設された光ファイバやメタルケーブル等の通信ケーブル６を各建物に引き込むために地盤を切削して盤（地中）５に埋設した共同溝ボックス（CCBOX）３内に収容する後述する各種クロージャを支持するための装置であって、取付け部材１１と、位置決め部材１２と、クロージャ支持部材１３とを有する。
【００１６】
取付け部材１１は、図１に示すように、長尺状の鋼材等から構成されており、共同溝ボックス３の内壁３ａに固定されるもので、水平方向に所定間隔で複数の取付け孔であるボルト孔１１ａが予め形成されている。
【００１７】
取付け部材１１に複数の取付け孔であるボルト孔１１ａを所定間隔で設けた理由は、共同溝ボックス３内には、通常、複数の各種クロージャ４を効率良く、かつ、互いに邪魔にならないような位置に配置することになっており、各クロージャ４の取付け位置は、共同溝ボックス３の内壁３ａに固定した取付け部材１１の複数の取付け孔１１ａの内から一のボルト孔１１ａを特定することによって決定するからである。尚、ボルト孔１１ａは、上述した特許文献１のように取付け部材１１にナットを取り付けて、そのナット孔をボルト孔としても良い。
【００１８】
位置決め部材１２は、取付け部材１１の複数の取付け孔１１ａの内から指定された一のボルト孔１１ａに取付けられると共に、その上からクロージャ支持部材１３が掛止されるもので、図２（ａ），（ｂ）に示すように、断面Ｕ字形状でネジ孔が形成されたボルト孔１２ａ１を有する板ナット１２ａと、そのボルト孔１２ａ１に螺合すると共に、取付け部材１１の複数の取付け孔１１ａのいずれかに螺合する位置決め用ボルト１２ｂとから構成されている。
【００１９】
クロージャ支持部材１３は、光ファイバケーブル等の通信ケーブルを接続または分岐する各種のクロージャ４を固定するもので、図３〜図６に示すように、少なくとも板ナット１２ａの幅Ｗ１（図２（ａ）参照。）以上の間隔Ｗ２を空けて設けられた２本の長尺のアングル材１３ａ，１３ａの上部と下部に、それぞれ、位置決め部材１２の掛止部である位置決め用ボルト１２ｂに掛止可能な上部被掛止部１３ｂと下部被掛止部１３ｃとを設けると共に、上部被掛止部１３ｂの上方にハンドル部１３ｄ，１３ｄを設けている。
【００２０】
アングル材１３ａ，１３ａには、その各側面に上部被掛止部１３ｂや、下部被掛止部１３ｃ、ハンドル部１３ｄ，１３ｄ、さらには各通信会社の各種クロージャ４を取付けるため、丸形状や四角形状の取付け孔１３ａ１が複数設けられている。
【００２１】
上部被掛止部１３ｂは、図３〜図６に示すように、前側面１３ｂ１と上側面１３ｂ２と後側面１３ｂ３からなる断面コ字形状の金物で、アングル材１３ａ，１３ａの取付け孔１３ａ１にボルト１３ｅ１およびナット１３ｅ２により取付けられる。
【００２２】
そして、上部被掛止部１３ｂの後側面１３ｂ３には、図５に示すように、位置決め部材１２の掛止部である位置決め用ボルト１２ｂが掛止可能なように位置決め用ボルト１２ｂの軸部１２ｂ２の外径以上で、かつ、頭部１２ｂ１の外径未満の幅を有するＵ字形状の掛止溝１３ｂ３１が形成されている。
【００２３】
一方、上部被掛止部１３ｂの前側面１３ｂ１には、図３に示すように、ボルト１３ｅ１が挿入される２つのボルト孔と、その２つのボルト孔の間であって、後側面１３ｂ３の掛止溝１３ｂ３１と対向する位置にＵ字形状の開口部１３ｂ１１が形成されている。この開口部１３ｂ１１は、省略可能であるが、開口部１３ｂ１１を介して後側面１３ｂ３の掛止溝１３ｂ３１に位置決め用ボルト１２ｂが掛止されているか否かを確認できるので、位置決め用ボルト１２ｂ２ｂ１の確認用の開口部として有益である。
【００２４】
上部被掛止部１３ｂの上側面１３ｂ２には、２本の長尺のアングル材１３ａ，１３ａが間隔Ｗ２で貫通するように貫通孔１３ｂ２１，１３ｂ２１が設けられている。
【００２５】
下部被掛止部１３ｃは、図３〜図５に示すように、前側面１３ｃ１と上側面１３ｃ２と後側面１３ｃ３からなる断面コ字形状の金物で、アングル材１３ａ，１３ａの取付け孔１３ａ１にボルト１３ｅ１およびナット１３ｅ２により取付けられる。
【００２６】
そして、下部被掛止部１３ｃの後側面１３ｃ３には、上部被掛止部１３ｂの後側面１３ｂ３の掛止溝１３ｂ３１と同様に、図５に示すように、位置決め部材１２の掛止部である位置決め用ボルト１２ｂが掛止可能なように位置決め用ボルト１２ｂの軸部１２ｂ２の外径以上で、かつ、頭部１２ｂ１の外径未満の幅を有するＵ字形状の掛止溝１３ｃ３１が形成されている。
【００２７】
＜クロージャ支持部材１３へのクロージャ４（４Ａ〜４Ｃ）の取付け例＞
次に以上のように構成された実施形態１のクロージャ支持部材１３へのクロージャ４の取付け例について説明する。
【００２８】
図７（ａ），（ｂ）は、実施形態１のクロージャ支持部材１３に多条分岐クロージャ４Ａを取付けた状態を示す正面図、右側面図である。
【００２９】
多条分岐クロージャ４Ａは、図７（ａ），（ｂ）に示すように、専用の多条分岐クロージャ用アタッチメント４Ａ１と、ボルトおよびナット等を介して実施形態１のクロージャ支持部材１３を構成する２本のアングル材１３ａ，１３ａに取付ける。
【００３０】
図８（ａ），（ｂ）は、実施形態１のクロージャ支持部材１３にメタルクロージャ４Ｂを取付けた状態を示す正面図、右側面図である。
【００３１】
メタルクロージャ４Ｂは、図８（ａ），（ｂ）に示すように、専用のメタルクロージャ用アタッチメント４Ｂ１と、ボルトおよびナット等を介して実施形態１のクロージャ支持部材１３を構成する２本のアングル材１３ａ，１３ａに取付ける。
【００３２】
図９（ａ），（ｂ）は、実施形態１のクロージャ支持部材１３に光クロージャ４Ｃを取付けた状態を示す正面図、右側面図である。
【００３３】
光クロージャ４Ｃは、図９（ａ），（ｂ）に示すように、専用の光クロージャ用アタッチメント４Ｃ１と、ボルトおよびナット等を介して実施形態１のクロージャ支持部材１３を構成する２本のアングル材１３ａ，１３ａに取付ける。
【００３４】
＜クロージャ４を取付けたクロージャ支持部材１３の共同溝ボックス３への設置＞
次に、クロージャ４が取付けられた実施形態１のクロージャ支持部材１３の共同溝ボックス３内の位置決め部材１２への設置手順を説明する。
【００３５】
まずは、図１０に示すように、地中に埋設した共同溝ボックス（CCBOX）３の内壁３ａに固定した取付け部材１１の複数の取付け孔１１ａの内、予め決められた位置のボルト孔１１ａに、図２（ａ），（ｂ）に示す板ナット１２ａおよび位置決め用ボルト１２ｂからなる位置決め部材１２を取付ける。
【００３６】
ここでは、実施形態１では、共同溝ボックス（CCBOX）３内に２個のクロージャ４（例えば、図７に示す多条分岐クロージャ４Ａと、図８に示すメタルクロージャ４Ｂ。）を取付けるため、図１０に示すように、２つの位置決め部材１２を取付け部材１１の複数の取付け孔１１ａの内、決められた位置のボルト孔１１ａに取付ける。
【００３７】
図１１（ａ），（ｂ）は、地中に埋設した共同溝ボックス（CCBOX）３の取付け部材１１の複数の取付け孔１１ａの内、予め決められた位置のボルト孔１１ａに板ナット１２ａおよび位置決め用ボルト１２ｂからなる位置決め部材１２を取付けた状態を示す部分拡大正面図、部分拡大平面図である。
【００３８】
つまり、実施形態１のクロージャ取付け装置１では、地中に埋設した共同溝ボックス（CCBOX）３の取付け部材１１の複数の取付け孔１１ａの内、決められた位置のボルト孔１１ａに直接、実施形態１のクロージャ支持部材１３を取付けるのではなく、図１１（ａ），（ｂ）に示すようにまずは予め決められた位置のボルト孔１１ａにボルト孔１１ａに板ナット１２ａおよび位置決め用ボルト１２ｂからなる位置決め部材１２を取付ける。
【００３９】
そして、地上で作業する場合には、図１２および図１３に示すように、クロージャ支持部材１３の下部の下部被掛止部１３ｃの後側面１３ｃ３の掛止溝１３ｃ３１が、共同溝ボックス（CCBOX）３の取付け部材１１の複数の取付け孔１１ａの内、予め決められた位置のボルト孔１１ａに固定された位置決め用ボルト１２ｂの軸部１２ｂ２に嵌って掛止されるように挿入する。
【００４０】
これに対し、地上で作業が終了し、クロージャ４を共同溝ボックス３内に埋設する場合には、図１４および図１５に示すように、クロージャ支持部材１３の上部の上部被掛止部１３ｂの後側面１３ｂ３の掛止溝１３ｂ３１が、共同溝ボックス（CCBOX）３の取付け部材１１の複数の取付け孔１１ａの内、予め決められた位置のボルト孔１１ａに固定された位置決め用ボルト１２ｂの軸部１２ｂ２に嵌って掛止されるように挿入する。
【００４１】
従って、実施形態１のクロージャ取付け装置１によれば、共同溝ボックス３の内壁に固定された取付け部材１１のボルト孔１１ａに挿入して固定可能であると共に、掛止部であるボルト１２ａが突設した位置決め部材１２と、位置決め部材１２に掛止可能な上部被掛止部１３ｂと下部被掛止部１３ｃとを有するクロージャ支持部材１３とを備え、共同溝ボックス３の取付け部材１１の複数の取付け孔１１ａの内、予め決められた位置のボルト孔１１ａに直接、実施形態１のクロージャ支持部材１３を取付けるのではなく、図１１（ａ），（ｂ）に示すようにまずは予め決められた位置のボルト孔１１ａにボルト孔１１ａ位置決め部材１２を取付け、決められた位置に取付けた位置決め部材１２に、クロージャ支持部材１３の上部被掛止部１３ｂまたは下部被掛止部１３ｃを掛止する。
【００４２】
その結果、実施形態１のクロージャ取付け装置１によれば、地中に埋設した共同溝ボックス３の内壁３ａに固定した取付け部材１１の長手方向に所定間隔で予め設けておいた複数の取付け孔１１ａの内、決められた取付け孔のボルト孔１１ａに、クロージャ支持部材１２を簡単に取付けることが可能となり、作業性を向上させることができる。
【００４３】
また、実施形態１のクロージャ取付け装置１では、クロージャ支持部材１３の上部には、クロージャ支持部材１３に固定されるクロージャ４側に突出するハンドル部１３ｄ，１３ｄを設けたため、重量のあるクロージャ４の上方に作業者が把持するハンドル部１３ｄ，１３ｄが位置することになり、クロージャ４を支持したクロージャ支持部材１３全体の重量バランスが向上する。
【００４４】
その結果、クロージャ支持部材１３を昇降させて上部被掛止部１３ｂまたは下部被掛止部１３ｃを取付け部材１１の一のボルト孔１１ａに取付けた位置決め部材１２に掛止する作業が楽になり、この点でも作業効率が向上する。
【００４５】
（実施形態２）
次に、本発明に係る実施形態２のクロージャ取付け装置１’について説明する。
本発明に係る実施形態２のクロージャ取付け装置１’では、上述した実施形態１のクロージャ取付け装置１を改良して、アングル材１３ａ，１３ａの下端部にこのクロージャ支持部材１３が取り付けられる共同溝ボックス（CCBOX）３の壁面３ａに沿って左右方向に倒れることを防止できるようにしたものである。
【００４６】
図１６は、本発明に係る実施形態２のクロージャ取付け装置１’の特徴部分であるアングル材１３ａ下端部の一部切欠拡大側面図、図１７は、実施形態２のクロージャ取付け装置１’を取付け部材１１に掛止する際の側面図、図１８は、実施形態２のクロージャ取付け装置１’を取付け部材１１に掛止した際の側面図である。
【００４７】
図１６に示すように、本発明に係る実施形態２のクロージャ取付け装置１’では、クロージャ支持部材１３の左右両側の各アングル材１３ａ，１３ａの下端部に、それぞれ、共同溝ボックス（CCBOX）３の壁面３ａの方へ、すなわち下部被掛止部１３ｃ’の方へ突出した突起部１３ａ２，１３ａ２を設けたことを特徴とする。
【００４８】
また、実施形態２のクロージャ取付け装置１’では、下部被掛止部１３ｃ’は、実施形態１のクロージャ取付け装置１とは異なり、下部被掛止部１３ｃ’をアングル材１３ａ’の下端部に取り付けるためのボルト１３ｅ１’およびナット１３ｅ２’を反対向きにしている。つまり、ボルト１３ｅ１’の頭部は、ハンドル部１３ｄ側に位置する一方、ナット１３ｅ２’はその反対側である共同溝ボックス（CCBOX）３の壁面３ａ側に位置するようにしている。
【００４９】
そのため、ボルト１３ｅ１’の先端部が共同溝ボックス（CCBOX）３の壁面３ａ側へ突出するので、ボルト１３ｅ１’の先端部と位置決め部材１２および取付け部材１１が干渉しないように、実施形態１のクロージャ取付け装置１の側面視、下方開口でほぼコ字状の下部被掛止部１３ｃとは異なり、実施形態２のクロージャ取付け装置１’の下部被掛止部１３ｃ’は、側面視、階段形状に形成している。
【００５０】
尚、実施形態２のクロージャ取付け装置１’では、上部被掛止部１３ｂも、ボルト１３ｅ１’およびナット１３ｅ２’を反対向きで、ボルト１３ｅ１’の頭部がハンドル部１３ｄ側に位置するようにアングル材１３ａ’に取り付けている。
している。
【００５１】
そのため、地上で作業する場合には、図１７に示すようにクロージャ取付け装置１’の下部被掛止部１３ｃ’を、共同溝ボックス（CCBOX）３の取付け部材１１の予め決められた位置のボルト孔１１ａに固定された位置決め部材１２に対し上方から下ろして掛止する。
【００５２】
すると、実施形態２のクロージャ取付け装置１’では、実施形態１のクロージャ取付け装置１とは異なり、図１６や図１８に示すように、左右両側の各アングル材１３ａ’，１３ａ’下端部の突起部１３ａ２，１３ａ２が、それぞれ、共同溝ボックス（CCBOX）３の壁面３ａに固定された取付け部材１１の下側面側に突出する。
【００５３】
そのため、実施形態２のクロージャ取付け装置１’では、クロージャー４を支持しているクロージャ支持部材１３が共同溝ボックス（CCBOX）３の壁面３ａに左右方向に傾斜したり、倒れようとした際に、図１６や図１８に示すように、左右両側のアングル材１３ａ，１３ａ下端部の突起部１３ａ２，１３ａ２のいずれか一方が取付け部材１１の下側面に当接するので、クロージャー４を支持しているクロージャ支持部材１３が左右方向に傾斜したり、倒れることを確実に防止することができる。
【００５４】
従って、実施形態２のクロージャ取付け装置１’によれば、上述した実施形態１のクロージャ取付け装置１と同様に、共同溝ボックス３の内壁に固定された取付け部材１１のボルト孔１１ａに挿入して固定可能であると共に、掛止部であるボルト１２ａが突設した位置決め部材１２と、位置決め部材１２に掛止可能な上部被掛止部１３ｂと下部被掛止部１３ｃとを有するクロージャ支持部材１３とを備えるため、クロージャ支持部材１２を簡単に取付けることができ、作業性を向上させることができると共に、クロージャ支持部材１３に固定されるクロージャ４側に突出するハンドル部１３ｄ，１３ｄを設けたため、クロージャ４を支持したクロージャ支持部材１３全体の重量バランスが向上し、この点でも作業効率が向上する。
【００５５】
特に、実施形態２のクロージャ取付け装置１’では、クロージャ支持部材１３を構成する左右両側の各アングル材１３ａ，１３ａ下端部に共同溝ボックス（CCBOX）３の壁面３ａに固定された取付け部材１１の下方へ突出する突起部１３ａ２，１３ａ２を設けたため、クロージャー４を支持しているクロージャ支持部材１３が共同溝ボックス（CCBOX）３の壁面３ａに左右方向に傾斜したり、倒れようとしても、左右両側のアングル材１３ａ，１３ａ下端部の突起部１３ａ２，１３ａ２のいずれか一方が取付け部材１１の下側面に当接するので、左右方向に傾斜したり、倒れることを確実に防止することができる。
【符号の説明】
【００５６】
１，１’  クロージャ取付け装置
１１  取付け部材
１１ａ  ボルト孔
１２  位置決め部材
１２ａ  板ナット
１２ａ１  ボルト孔
１２ｂ  位置決め用ボルト
１２ｂ１  頭部
１２ｂ２  軸部
１３  クロージャ支持部材
１３ａ，１３ａ、１３ａ’，１３ａ’  アングル材
１３ａ１  取付け孔
１３ａ２，１３ａ２  突起部
１３ｂ  上部被掛止部
１３ｂ１  前側面
１３ｂ１１  開口部
１３ｂ２  上側面
１３ｂ３  後側面
１３ｂ３１  掛止溝
１３ｃ，１３ｃ’  下部被掛止部
１３ｄ，１３ｄ  ハンドル部
１３ｅ１，１３ｅ１’  ボルト
１３ｅ２，１３ｅ２’  ナット
２  地盤
３  共同溝ボックス（CCBOX）
３ａ  壁面
４  各種クロージャ
４Ａ  多条分岐クロージャ
４Ａ１  多条分岐クロージャ用アタッチメント
４Ｂ  メタルクロージャ
４Ｂ１  メタルクロージャ用アタッチメント
４Ｃ  光クロージャ
４Ｃ１  光クロージャ用アタッチメント
５  地盤
６  通信ケーブル
【図１】
0006408456.tif 000002
【図２】
0006408456.tif 000003
【図３】
0006408456.tif 000004
【図４】
0006408456.tif 000005
【図５】
0006408456.tif 000006
【図６】
0006408456.tif 000007
【図７】
0006408456.tif 000008
【図８】
0006408456.tif 000009
【図９】
0006408456.tif 000010
【図１０】
0006408456.tif 000011
【図１１】
0006408456.tif 000012
【図１２】
0006408456.tif 000013
【図１３】
0006408456.tif 000014
【図１４】
0006408456.tif 000015
【図１５】
0006408456.tif 000016
【図１６】
0006408456.tif 000017
【図１７】
0006408456.tif 000018
【図１８】
0006408456.tif 000019